(57)【特許請求の範囲】
【請求項１】
両開き扉の一方の扉から突出される面付錠の錠ボルトを受け入れるストライクを、前記両開き扉の他方の扉に固定する面付錠のストライク構造であって、
召合を挟み双方の扉に対称位置で形成された取付穴と、
前記他方の扉を挟み該取付穴に通した固定ボルトにて相互に固定される扉室外側の戸当たりユニット及び扉室内側のストライクユニットと、を具備し、
前記戸当たりユニットが、外殻の外装ケースを有し、
該外装ケースが、前記ストライクユニットに固定されるケース蓋及び補強ブロックに固定手段にて固定され、
該固定手段が、前記外装ケースの木口側面を貫通して前記補強ブロックに螺合する木口ネジと、前記外装ケースの木口反対側面に形成された係止孔と、前記ケース蓋から突出して内側から該係止孔に係止する係止突起と、
を有することを特徴とする面付錠のストライク構造。
【請求項２】
請求項１記載の面付錠のストライク構造であって、
前記ストライクユニットが、外殻の外装ケースを有し、
該外装ケースが、前記戸当たりユニットに固定されるケース蓋及び補強ブロックに固定手段にて固定され、
該固定手段が、前記外装ケースの木口側面を貫通して前記補強ブロックに螺合する木口ネジと、前記外装ケースの木口反対側面に形成された係止孔と、前記ケース蓋から突出して内側から該係止孔に係止する係止突起と、
を有することを特徴とする面付錠のストライク構造。
【請求項３】
請求項２記載の面付錠のストライク構造であって、
前記戸当たりユニットの前記補強ブロックが前記ケース蓋とケース身とで一体に挟持固定されるとともに、
前記ストライクユニットの前記補強ブロックが前記ケース蓋とケース身とで一体に挟持固定され、
前記戸当たりユニットの補強ブロックと、前記ストライクユニットの補強ブロックとが、前記固定ボルトにて相互に固定されることを特徴とする面付錠のストライク構造。
【請求項４】
請求項３記載の面付錠のストライク構造であって、
前記戸当たりユニットの補強ブロックに、戸当たり部材と、該戸当たり部材に嵌り前記一方の扉に当たる弾性部材とが組み付けられ、
該戸当たり部材及び該弾性部材が、前記木口ネジにて前記補強ブロックに固定されることを特徴とする面付錠のストライク構造。
【請求項５】
請求項３又は請求項４記載の面付錠のストライク構造であって、
前記ストライクユニットの補強ブロックに、ストライク部材が組み付けられ、
該ストライク部材が、前記木口ネジにて前記補強ブロックに固定されることを特徴とする面付錠のストライク構造。
【発明の詳細な説明】
【技術分野】
【０００１】
本発明は、両開き扉の一方の扉の木口側から突出される面付錠の錠ボルトを受け入れるストライクを、他方の扉に固定する面付錠のストライク構造に関する。
【背景技術】
【０００２】
近年、ガラス素材の強度向上によって全面ガラス扉が多用されるようになってきている。全面ガラス扉は、例えばオフィスビルの玄関や店舗の入り口に設置される場合、施錠装置を設ける必要がある。従来、この種の全面ガラス扉に施錠装置を設けるには、吊元金具や、上框、下框、或いは中央部に付設した金属枠部に施錠装置を設けるのが一般的であった。
ところが、施錠装置を設けるために金属枠部分を付設するのでは、折角の全面ガラス扉の意匠性を低下させることがあり、好ましくはこれら金属枠部分が設けられない方が良い。
【０００３】
このような不具合を解消するものに、扉ガラス素材に直接穿設した取付穴を利用して、施錠装置のみを全面ガラス扉に取り付けた特許文献１のドア錠が提案されている。
このドア錠によれば、全面ガラス扉に施錠装置を設けるための金属枠部を付設せずに、全面ガラス扉の開閉端にドア錠のみを取り付けでき、全面ガラス扉の意匠性を損ねず、見栄えを向上させることができた。
【特許文献１】特表２００２−５２３６６０号公報
【発明の開示】
【発明が解決しようとする課題】
【０００４】
上記した従来のドア錠は、扉ガラス素材に直接穿設した取付穴を利用して取付けできることから、金属枠部分を付設する場合に比べ、全面ガラス扉の意匠性を低下させずに済む。ところで、両開き扉では、一方の扉から突出されるドア錠（以下、「面付錠」という）の錠ボルトを受け入れるストライクを、他方の扉に固定する必要がある。このストライクも面付錠と同様、ガラス扉に直接取り付けでき、固定ボルト等を表出させないなど、見栄えの良好であることが望まれる。また、両開き扉では、面付錠とストライクの左右勝手を無くし、これら部材が反対側の扉にも取り付けできるよう汎用性を高める必要もある。さらに、外装部材や摩耗し易い部材はメンテナンスが容易に行えることが望ましい。
【０００５】
本発明は上記状況に鑑みてなされたもので、その目的は、ガラス扉に直接取り付けでき、固定ボルト等を表出させすに見栄えを良好にでき、しかも、左右勝手を無くし、交換等のメンテナンスも容易とすることができる面付錠のストライク構造を提供することにある。
【課題を解決するための手段】
【０００６】
次に、上記の課題を解決するための手段を、実施の形態に対応する図面を参照して説明する。
本発明の請求項１記載の面付錠のストライク構造は、両開き扉１１の一方の扉１１ａから突出される面付錠１７の錠ボルト１９を受け入れるストライク１００を、前記両開き扉の他方の扉１１ｂに固定する面付錠のストライク構造であって、
召合３３を挟み双方の扉に対称位置で形成された取付穴２９ａ，２９ｂと、
前記他方の扉１１ｂを挟み該取付穴２９ａ，２９ｂに通した固定ボルト３５にて相互に固定される扉室外側の戸当たりユニット３７及び扉室内側のストライクユニット３９と、を具備し、
前記戸当たりユニット３７が、外殻の外装ケース５５を有し、
該外装ケース５５が、前記ストライクユニット３９に固定されるケース蓋６１及び補強ブロック５７に固定手段１０９にて固定され、
該固定手段１０９が、前記外装ケース５５の木口側面を貫通して前記補強ブロック５７に螺合する木口ネジ１１１と、前記外装ケース５５の木口反対側面に形成された係止孔１１３と、前記ケース蓋６１から突出して内側から該係止孔１１３に係止する係止突起１１５と、
を有することを特徴とする面付錠のストライク構造。
【０００７】
この面付錠のストライク構造では、戸当たりユニット３７とストライクユニット３９が取付穴２９ａ，２９ｂに通した固定ボルト３５にて扉に直接挟持固定でき、枠等の取付用部材が扉１１に不要となる。戸当たりユニット３７が外殻の外装ケース５５に覆われ、閉扉状態では木口ネジ１１１も見えなくなる。面付錠１７と、戸当たりユニット３７及びストライクユニット３９が、左右逆扉に取付可能となる。開扉状態で、木口ネジ１１１が螺合解除されれば、戸当たりユニット３７の外装ケース５５が簡単に外れる。
【０００８】
請求項２記載の面付錠のストライク構造は、請求項１記載の面付錠のストライク構造であって、
前記ストライクユニット３９が、外殻の外装ケース６７を有し、
該外装ケース６７が、前記戸当たりユニット３７に固定されるケース蓋７３及び補強ブロック６９に固定手段１１７にて固定され、
該固定手段１１７が、前記外装ケース６７の木口側面を貫通して前記補強ブロック６９に螺合する木口ネジ１１９と、前記外装ケース６７の木口反対側面に形成された係止孔１２１と、前記ケース蓋７３から突出して内側から該係止孔１２１に係止する係止突起１２３と、
を有することを特徴とする面付錠のストライク構造。
【０００９】
この面付錠のストライク構造では、ストライクユニット３９が外殻の外装ケース６７に覆われ、閉扉状態では木口ネジ１１９も見えなくなる。開扉状態で、木口ネジ１１９が螺合解除されれば、ストライクユニット３９の外装ケース６７が簡単に外れる。
【００１０】
請求項３記載の面付錠のストライク構造は、請求項２記載の面付錠のストライク構造であって、
前記戸当たりユニット３７の前記補強ブロック５７が前記ケース蓋６１とケース身５９とで一体に挟持固定されるとともに、
前記ストライクユニット３９の前記補強ブロック６９が前記ケース蓋７３とケース身７１とで一体に挟持固定され、
前記戸当たりユニット３７の補強ブロック５７と、前記ストライクユニット３９の補強ブロック６９とが、前記固定ボルト３５にて相互に固定されることを特徴とする。
【００１１】
この面付錠のストライク構造では、戸当たりユニット３７、ストライクユニット３９が、金属等の高剛性の補強ブロック５７，６９同士で扉を挟み扉に固定できる。外装ケース５５，５７は、これらを覆うのみとなる。また、扉室内側となるストライクユニット側の補強ブロック５７から取付穴２９ａ，２９ｂに通した固定ボルト３５を扉室外側の戸当たりユニット３７の補強ブロック５７に螺合することで、扉室外側の補強ブロック５７では、外装ケース５５が外されても、固定ボルト３５や、螺合部、例えば螺子頭が表出しない。
【００１２】
請求項４記載の面付錠のストライク構造は、請求項３記載の面付錠のストライク構造であって、
前記戸当たりユニット３７の補強ブロック５７に、戸当たり部材６３と、該戸当たり部材６３に嵌り前記一方の扉１１ａに当たる弾性部材６５とが組み付けられ、
該戸当たり部材６３及び該弾性部材６５が、前記木口ネジ１１１にて前記補強ブロック５７に固定されることを特徴とする。
【００１３】
この面付錠のストライク構造では、木口ネジ１１１の螺合解除により、戸当たり部材６３と弾性部材６５が補強ブロック５７から分離可能となる。
【００１４】
請求項５記載の面付錠のストライク構造は、請求項３又は請求項４記載の面付錠のストライク構造であって、
前記ストライクユニット３９の補強ブロック６９に、ストライク部材７５が組み付けられ、
該ストライク部材７５が、前記木口ネジ１１９にて前記補強ブロック６９に固定されることを特徴とする。
【００１５】
この面付錠のストライク構造では、木口ネジ１１９の螺合解除により、ストライク部材７５が補強ブロック６９から分離可能となる。
【発明の効果】
【００１６】
本発明に係る請求項１記載の面付錠のストライク構造によれば、扉を挟み固定される扉室外側の戸当たりユニット及び扉室内側のストライクユニットとを具備し、戸当たりユニットの外装ケースを補強ブロックに固定する固定手段が、外装ケースの木口側面を貫通して補強ブロックに螺合する木口ネジと、外装ケースの木口反対側面に形成された係止孔と、ケース蓋から突出して内側から係止孔に係止する係止突起とからなるので、扉に枠を設けることなく、取付穴を利用してガラス扉に直接取り付けでき、意匠性を高めることができる。戸当たりユニットが外装ケースに覆われ、木口ネジのみが扉木口側に見え、この木口ネジも閉扉されることにより隠れるので、戸当たりユニットの扉室外側からの見栄えを良好にできる。また、面付錠の取付穴と、戸当たりユニット及びストライクユニットの取付穴が、召合を挟んで対称に配置されるので、これら部材を左右逆の扉に取り付けでき、左右勝手を無くして汎用性を高めることができる。さらに、開扉状態で木口ネジを外すのみで外装ケースが脱着できるので、外装ケース交換等のメンテナンスを容易にできる。
【００１７】
請求項２記載の面付錠のストライク構造によれば、ストライクユニットの外装ケースを補強ブロックに固定する固定手段が、外装ケースの木口側面を貫通して補強ブロックに螺合する木口ネジと、外装ケースの木口反対側面に形成された係止孔と、ケース蓋から突出して内側から係止孔に係止する係止突起とからなるので、ストライクユニットが外装ケースに覆われ、木口ネジのみが扉木口側に見え、この木口ネジも閉扉されることにより隠れるので、ストライクユニットの扉室内側からの見栄えを良好にできる。また、開扉状態で木口ネジを外すのみで外装ケースが脱着できるので、外装ケースの交換、さらには、戸当たりユニット及びストライクユニットの交換等のメンテナンスを容易にできる。
【００１８】
請求項３記載の面付錠のストライク構造によれば、ケース蓋とケース身とで補強ブロックが一体に挟持固定され、戸当たりユニットの補強ブロックと、ストライクユニットの補強ブロックとが、固定ボルトにて相互に固定されるので、戸当たりユニット、ストライクユニットが、金属等の高剛性の補強ブロック同士で扉を両面から挟むように固定でき、取付強度を高め、信頼性、防犯性を向上できる。また、扉室内側となるストライクユニット側の補強ブロックから取付穴に通した固定ボルトを扉室外側の戸当たりユニットの補強ブロックに螺合することで、外装ケースが外されても、扉室外側には固定ボルトや、螺合部が表出しないようにでき、防犯性を高めることができる。
【００１９】
請求項４記載の面付錠のストライク構造によれば、戸当たりユニットの補強ブロックに、戸当たり部材と、戸当たり部材に嵌り一方の扉に当たる弾性部材とが組み付けられ、戸当たり部材及び弾性部材が、木口ネジにて補強ブロックに固定されるので、別体の戸当たり部材と弾性部材が木口ネジにより補強ブロックに固定でき、特に弾性部材の交換を容易にできる。
【００２０】
請求項５記載の面付錠のストライク構造によれば、ストライクユニットの補強ブロックに、ストライク部材が組み付けられ、ストライク部材が、木口ネジにて補強ブロックに固定されるので、別体のストライク部材が木口ネジにより補強ブロックに固定でき、ストライク部材の交換を容易にできる。
【発明を実施するための最良の形態】
【００２１】
以下、本発明に係る面付錠のストライク構造の好適な実施の形態を図面を参照して詳細に説明する。
図１は本発明に係る面付錠のストライク構造を備えたガラス扉の正面図、図２は図１のＡ−Ａ矢視図である。
本実施の形態による面付錠のストライク構造は、開閉体である例えば両開きの全面ガラス扉に好適に用いることができる。この他、当該ストライク構造は、片開きの全面ガラス扉、両開き・片開きのスチール扉等に用いても好適なものである。本実施の形態では、当該ストライク構造を備えた図１に示すストライクが両開きの全面ガラス扉１１（１１ａ，１１ｂ）に設けられる例を説明する。
【００２２】
建物開口の左右にはガラスパネル１３，１３が設けられ、ガラスパネル１３，１３は開口サッシ等に取付固定されている。ガラスパネル１３，１３に挟まれる出入口開口部には上記した一対の全面ガラス扉１１ａ，１１ｂがヒンジ１５，１５を介して開閉自在に支持されている。全面ガラス扉１１ａ，１１ｂは、例えば一方のガラス扉１１ａが室内側（図２の下側）へ開放可能となり、他方のガラス扉１１ｂが不図示の規制手段にて開閉が規制されている。
【００２３】
全面ガラス扉１１ａ，１１ｂは、一方のガラス扉１１ａが他方のガラス扉１１ｂへ施錠されれば、一対の全面ガラス扉１１ａ，１１ｂの双方は、開閉規制された施錠状態となる。すなわち、一方のガラス扉１１ａに設けられた面付錠１７が、他方のガラス扉１１ｂに設けられたストライク１００へ施錠するように働く。
【００２４】
ストライク１００は、面付錠１７から突出する錠ボルト１９の先端を係止可能としている。つまり、他方のガラス扉１１ｂが固定されている状態で、一方のガラス扉１１ａは、錠ボルト１９がストライク１００に係止することで、室内側への開放が規制される。
【００２５】
図３は取付穴を通して見た扉室外側ストライクと扉室外側面付錠の正面図である。
面付錠１７は、図２に示す外装ユニット１９と、錠ケースユニット２１と、開閉操作部材であるレバーハンドル２３Ａ，２３Ｂと、レバーハンドル２３Ａ，２３Ｂに並設される施解錠操作部材（サムターン）２５と、図３に示す施解錠操作部材（シリンダ錠）２７と、が外部に表出して設けられている。外装ユニット１９と錠ケースユニット２１は、図３に示す横並び一対の取付穴２９ａ，２９ｂを利用して一方のガラス扉１１ａの開閉端を挟持して取り付けられる。すなわち、レバーハンドル２３Ａ，２３Ｂは、軸３１が取付穴２９ａに通される。シリンダ錠２７、サムターン２５は、取付穴２９ａを介して不図示の錠機構に連結される。この他、取付穴２９ａ，２９ｂには、外装ユニット１９と錠ケースユニット２１を連結する固定ボルトが通される。
【００２６】
図４は図２に示したストライクの断面図である。
ストライク１００は、上記のように、他方のガラス扉１１ｂに固定され、一方のガラス扉１１ａから突出される面付錠１７の錠ボルト１９を受け入れる。このストライク１００も、図３に示す召合３３を挟み双方の扉１１ａ，１１ｂに対称位置で形成されたガラス扉１１ｂ側の取付穴２９ａ，２９ｂを利用して固定される。ストライク１００は、図４に示すように、ガラス扉１１ｂを挟み取付穴２９ａ，２９ｂに通した固定ボルト３５，３５にて相互に固定される扉室外側の戸当たりユニット３７と、扉室内側のストライクユニット３９とを具備する。
【００２７】
図５は戸当たりユニットとストライクユニットを分離した斜視図である。
戸当たりユニット３７には位置決めピン４１，４３が突設され、位置決めピン４１，４３は取付穴２９ａ，２９ｂに通されストライクユニット３９に嵌合される。これにより、戸当たりユニット３７とストライクユニット３９相互の相対位置が定められる。戸当たりユニット３７には加締め固定された雌ネジ筒４５が突設され、雌ネジ筒４５は取付穴２９ｂに通され、ストライクユニット３９を貫通する固定ボルト３５と螺合する。また、戸当たりユニット３７には雌ネジ軸４７，４７が相対回転不能に装着され、雌ネジ軸４７，４７は取付穴２９ａに配置され、ストライクユニット３９を貫通する固定ボルト３５，３５と螺合する。
【００２８】
なお、図３中、４９，４９はバネ支持ピンを示す。バネ支持ピン４９，４９は、本実施の形態とは左右勝手が逆の両開き扉１１の場合、他方のガラス扉１１ｂにレバーハンドル２３Ａ，２３Ｂが設けられるときのバネ支持手段となる。したがって、本実施の形態では使用されない。
【００２９】
図６は戸当たりユニットとストライクユニットの分解斜視図である。
戸当たりユニット３７は、ガラス扉１１ｂとの間にライナー５１を挟んで取り付けられる。また、ストライクユニット３９も、ガラス扉１１ｂとの間にライナー５３を挟んで取り付けられる。
【００３０】
戸当たりユニット３７は、外殻の外装ケース５５を有する。外装ケース５５は、補強ブロック５７を一体に挟持固定するケース身５９とケース蓋６１を覆う。補強ブロック５７には戸当たり部材６３と、弾性部材６５とが固定される。
【００３１】
ストライクユニット３９は、外殻の外装ケース６７を有する。外装ケース６７は、補強ブロック６９を一体に挟持固定するケース身７１とケース蓋７３を覆う。補強ブロック６９にはストライク部材７５が固定される。
【００３２】
図７は戸当たりユニットの分解斜視図である。
戸当たりユニット３７の補強ブロック５７は、亜鉛ダイカスト製で、成型時のヒケ（凹状成形不良）防止の凹部７７を有する。補強ブロック５７を挟んだケース身５９とケース蓋６１は、ケース身５９の支持柱７９に、ケース蓋６１から通されたネジ８１が螺合されて固定される。また、ケース身５９の上下面から通されたネジ８３が、ケース蓋６１の上下ネジ孔８５，８５に螺合されてさらに強固に固定される。
【００３３】
補強ブロック５７の木口側には戸当たり部材６３の固定される固定座８７が形成される。補強ブロック５７、ケース蓋６１には、雌ネジ軸４７，４７を突出させる孔８９，８９，孔９１，９１が形成される。この雌ネジ軸４７，４７は、補強ブロック５７の孔８９，８９に頭部４７ａが相対回転不能に嵌入される。なお、図７中、９３はケース身５９と補強ブロック５７の固定ネジを示す。
【００３４】
図８はストライクユニットの分解斜視図である。
ストライク部材７５の補強ブロック６９は、亜鉛ダイカスト製で形成される。補強ブロック６９を挟んだケース身７１とケース蓋７３は、ケース身７１の加締め支持柱９５に、ケース蓋７３から通されたネジ９７が螺合されて固定される。また、ケース身７１の上下面から通されたネジ９９が、ケース蓋７３の上下ネジ孔１０１，１０１に螺合されてさらに強固に固定される。
【００３５】
補強ブロック６９の木口側にはストライク部材７５の固定される雌ネジ１０３が形成される。なお、図８中、１０５はケース身７１と補強ブロック６９の固定ネジ、１０７は固定ボルト３５が通される支持パイプを示す。
【００３６】
戸当たりユニット３７の外装ケース５５は、ストライクユニット３９に固定される補強ブロック５７に図６に示す固定手段１０９にて固定される。固定手段１０９は、外装ケース５５の木口側面を貫通して補強ブロック５７に螺合する木口ネジ１１１と、外装ケース５５の木口反対側面に形成された係止孔１１３と、ケース蓋６１から突出して内側から係止孔１１３に係止する係止突起１１５と、を有する。
【００３７】
また、ストライクユニット３９の外装ケース６７は、戸当たりユニット３７に固定される補強ブロック６９に固定手段１１７にて固定される。固定手段１１７は、外装ケース６７の木口側面を貫通して補強ブロック６９に螺合する木口ネジ１１９と、外装ケース６７の木口反対側面に形成された係止孔１２１と、ケース蓋７３から突出して内側から係止孔１２１に係止する係止突起１２３と、を有する。
【００３８】
外装ケース６７を固定する固定手段１１７が、木口ネジ１１９と、係止孔１２１と、係止突起１２３とからなるので、ストライクユニット３９が外装ケース６７に覆われ、木口ネジ１１９のみが扉木口側に見え、この木口ネジ１１９も閉扉されることにより隠れるので、ストライクユニット３９の扉室内側からの見栄えを良好にできる。また、開扉状態で木口ネジ１１９を外すのみで外装ケース６７が脱着できるので、外装ケース６７の交換、さらには、戸当たりユニット３７及びストライクユニット３９の交換等のメンテナンスを容易にできる。
【００３９】
戸当たりユニット３７とストライクユニット３９では、それぞれのケース身５９，７１とケース蓋６１，７３とで補強ブロック５７，６９が一体に挟持固定され、戸当たりユニット３７の補強ブロック５７と、ストライクユニット３９の補強ブロック６９とが、固定ボルト３５，３５にて相互に固定される。
【００４０】
これにより、戸当たりユニット３７、ストライクユニット３９が、金属等の高剛性の補強ブロック５７，６９同士で扉に固定でき、取付強度を高め、信頼性、防犯性を向上できる。また、扉室内側となるストライクユニット側の補強ブロック６９から取付穴２９ａに通した固定ボルト３５を扉室外側の戸当たりユニット３７の補強ブロック５７側に螺合することで、外装ケース５５が外されても、扉室外側には固定ボルトや、螺合部が表出しないようにでき、防犯性を高めることができる。
【００４１】
また、戸当たりユニット３７の補強ブロック５７には、戸当たり部材６３と、戸当たり部材６３に嵌りガラス扉１１ａに当たる弾性部材６５とが組み付けられる。戸当たり部材６３及び弾性部材６５は、木口ネジ１１１にて補強ブロック５７に固定される。これにより、別体の戸当たり部材６３と弾性部材６５が木口ネジ１１１により補強ブロック５７に固定でき、特に弾性部材６５の交換を容易にできる。
【００４２】
また、ストライクユニット３９の補強ブロック６９には、ストライク部材７５が組み付けられる。ストライク部材７５は、木口ネジ１１９にて補強ブロック６９に固定される。これにより、別体のストライク部材７５が木口ネジ１１９により補強ブロック６９に固定でき、ストライク部材７５の交換を容易にできる。
【００４３】
次に、上記ストライク構造の組み付け手順を説明する。
図９は外装ケースを分離した戸当たりユニットの斜視図、図１０は外装ケースを分離したストライクユニットの斜視図、図１１は召合における戸当たり部材近傍の拡大平面図である。
先ず、戸当たりユニット３７は、図９に示すように、補強ブロック５７、ケース身５９、ケース蓋６１を予め組み付けておく。また、ストライクユニット３９も、図１０に示すように、補強ブロック６９、ケース身７１、ケース蓋７３を予め組み付けておく。
【００４４】
次いで、取付穴２９ａ，２９ｂに、通したケース身５９の位置決めピン４１，４３を、ケース蓋７３の位置決め孔１２５，１２７（図８参照）に一致させる。ストライクユニット３９のケース身７１から挿通した固定ボルト３５，３５，３５を、戸当たりユニット３７の雌ネジ筒４５、雌ネジ軸４７，４７に螺合する。これにより、戸当たりユニット３７とストライクユニット３９は、補強ブロック５７、ケース身５９、ケース蓋６１、及び補強ブロック６９、ケース身７１、ケース蓋７３がガラス扉１１ｂに固定される。
【００４５】
次いで、ケース蓋６１の係止突起１１５に、外装ケース５５の係止孔１１３を係合する。予め弾性部材６５を組み付けた戸当たり部材６３を、補強ブロック５７の固定座８７に組み付け、外装ケース５５に通した木口ネジ１１１で固定する。これにより、戸当たりユニット３７は、外装ケース５５に覆われるとともに、戸当たり部材６３の取付が完了する。
【００４６】
また、ストライクユニット３９は、係止突起１２３に外装ケース６７の係止孔１２１を係止し、ストライク部材７５の挿入空間１２９にストライク部材７５を挿入し、ストライク部材７５に通した木口ネジ１１９を、ケース身７１のネジ孔１３１と、補強ブロック６９の雌ネジ１０３に螺合する。これにより、ストライクユニット３９は、外装ケース６７に覆われるとともに、ストライク部材７５の取付が完了する。
【００４７】
このようにして、戸当たり部材６３と、ストライクユニット３９が取り付けられた他方のガラス扉１１ｂに、一方のガラス扉１１ａが閉められると、図１１に示すように、ガラス扉１１ａの開閉端が弾性部材６５に衝接し、それ以上の閉動が規制される。この状態で、面付錠１７から突出された錠ボルト１９は、ストライクユニット３９のストライク部材７５に係合することとなる。
【００４８】
このように、ストライク構造では、戸当たりユニット３７とストライクユニット３９が取付穴２９ａ，２９ｂに通した固定ボルト３５，３５にて扉に直接挟持固定でき、枠等の取付用部材が扉に不要となる。戸当たりユニット３７が外殻の外装ケース５５に覆われ、閉扉状態では木口ネジ１１１も見えなくなる。面付錠１７と、戸当たりユニット３７及びストライクユニット３９が、左右逆扉に取付可能となる。開扉状態で、木口ネジ１１１が螺合解除されれば、戸当たりユニット３７の外装ケース５５が簡単に外れるようになっている。
【００４９】
したがって、上記実施の形態による面付錠のストライク構造によれば、扉に枠を設けることなく、取付穴２９ａ，２９ｂを利用して他方のガラス扉１１ｂに直接取り付けでき、意匠性を高めることができる。また、面付錠１７の取付穴２９ａ，２９ｂと、戸当たりユニット３７及びストライクユニット３９の取付穴２９ａ，２９ｂが、召合３３を挟んで対称に配置されるので、これら部材を左右逆の扉に取り付けでき、左右勝手を無くして汎用性を高めることができる。さらに、木口ネジ１１１を外すのみで、外装ケース５５の交換等のメンテナンスを容易にできる。
【図面の簡単な説明】
【００５０】
【図１】本発明に係る面付錠のストライク構造を備えたガラス扉の正面図である。
【図２】図１のＡ−Ａ矢視図である。
【図３】取付穴を通して見た扉室外側ストライクと扉室外側面付錠の正面図である。
【図４】図２に示したストライクの断面図である。
【図５】戸当たりユニットとストライクユニットを分離した斜視図である。
【図６】戸当たりユニットとストライクユニットの分解斜視図である。
【図７】戸当たりユニットの分解斜視図である。
【図８】ストライクユニットの分解斜視図である。
【図９】外装ケースを分離した戸当たりユニットの斜視図である。
【図１０】外装ケースを分離したストライクユニットの斜視図である。
【図１１】召合における戸当たり部材近傍の拡大平面図である。
【符号の説明】
【００５１】
１１…両開き扉
１１ａ…一方の扉
１１ｂ…他方の扉
１７…面付錠
１９…錠ボルト
２９ａ，２９ｂ…取付穴
３３…召合
３５…固定ボルト
３７…戸当たりユニット
３９…ストライクユニット
５５，６７…外装ケース
５７，６９…補強ブロック
５９，７１…ケース身
６１，７３…ケース蓋
６３…戸当たり部材
６５…弾性部材
７５…ストライク部材
１００…ストライク
１０９，１１７…固定手段
１１１，１１９…木口ネジ
１１３，１２１…係止孔
１１５，１２３…係止突起
【図１】
0005313556.tif 000002
【図２】
0005313556.tif 000003
【図３】
0005313556.tif 000004
【図４】
0005313556.tif 000005
【図５】
0005313556.tif 000006
【図６】
0005313556.tif 000007
【図７】
0005313556.tif 000008
【図８】
0005313556.tif 000009
【図９】
0005313556.tif 000010
【図１０】
0005313556.tif 000011
【図１１】
0005313556.tif 000012